(57)【要約】【課題】複数の入出箇所のうち適切な箇所から媒体を入出させ得るようにする。【解決手段】入出金部４０は、前開閉部６１における下シャッタ体６３の後腕部６３Ｄと後開閉部７０におけるリンク体７２の連動腕部７２Ｃとスプリング７６とにより連動部７８を構成し、当該連動部７８において連動腕部７２Ｃを後腕部６３Ｄに当接させ、又は離隔させることにより、前開閉部６１の開閉動作と後開閉部７０の開閉動作とを連動させ、又は一時的に切り離すようにした。これにより入出金部４０は、前開閉部６１の駆動機構部６４が発生する駆動力を利用して当該前開閉部６１を開閉させると共に後開閉部７０を開閉でき、その一方で後開閉部７０を正常に閉塞できなかった場合に互いの連動を解除して前開閉部６１を正常に開閉させることができる。【選択図】図１１
2015125626.tif 000002
【特許請求の範囲】
【請求項１】
媒体を収納すべき収納空間と、
前記収納空間の側面に形成され、当該収納空間内へ前記媒体を排出する排出口と、
前記収納空間の側面のうち前記排出口と対向する側面に形成され、外部から前記媒体を前記収納空間内へ挿入させるための挿入口と、
前記排出口を開放又は閉塞する排出口シャッタと、
前記挿入口を開放又は閉塞する挿入口シャッタと、
前記挿入口シャッタの開放動作と連動して前記排出口シャッタを閉塞させ、また前記挿入口シャッタの閉塞動作と連動して前記排出口シャッタを開放させる連動部と
を具えることを特徴とする媒体入出装置。
【請求項２】
前記連動部は、前記挿入口シャッタを開放する際に前記排出口シャッタを閉塞できない場合、当該排出口シャッタとの連動を解除して当該挿入口シャッタを開放させる
ことを特徴とする請求項１に記載の媒体入出装置。
【請求項３】
前記挿入口シャッタは、所定の駆動部から伝達される駆動力により前記挿入口を開放又は閉塞し、
前記連動部は、
前記挿入口シャッタと連動して動作する挿入側部材と、
前記排出口シャッタと連動して動作する排出側部材と、
前記排出側部材を前記挿入側部材に近接させるよう付勢し、当該排出側部材が当該挿入側部材に当接したときに前記挿入口シャッタの開閉動作と前記排出口シャッタの開閉動作とを連動させる付勢体と
をさらに具えることを特徴とする請求項２に記載の媒体入出装置。
【請求項４】
前記付勢体は、前記排出側部材を前記挿入側部材に近接させるよう付勢すると共に、前記排出口シャッタを閉塞する方向に付勢する
ことを特徴とする請求項３に記載の媒体入出装置。
【請求項５】
前記連動部は、前記挿入口シャッタを開放する際、前記挿入口における開放された部分の割合が半分に至る前に、前記排出口シャッタにより前記排出口を閉塞させる
ことを特徴とする請求項１に記載の媒体入出装置。
【請求項６】
前記排出口シャッタは、当該排出口シャッタと前記挿入口シャッタとを結ぶ方向に沿った軸を中心に回動することにより、前記排出口を開放又は閉塞する
ことを特徴とする請求項１に記載の媒体入出装置。
【請求項７】
前記収納空間の底部に設けられ、上面に前記媒体を載置して上下方向へ移動することにより、前記収納空間からの前記媒体の搬出及び前記収納空間への前記媒体の搬入を行うステージをさらに具え、
前記排出口は、前記収納空間の一側面に形成され、
前記挿入口は、前記収納空間において前記一側面と対向する側面に形成された
ことを特徴とする請求項１に記載の媒体入出装置。
【請求項８】
紙葉状の媒体を複数集積した状態で結束して媒体束を生成する結束部と、
外部へ排出し、又は内部へ取り込むべき前記媒体束を一時的に収納する収納空間と、
前記収納空間の側面に形成され、前記結束部により結束された前記媒体束を当該収納空間内へ排出する排出口と、
前記収納空間の側面のうち前記排出口と対向する側面に形成され、外部から前記媒体束を前記収納空間内へ挿入させるための挿入口と、
前記収納空間内の前記媒体束を格納する格納部と、
前記媒体束を前記収納空間と前記格納部との間で搬送する搬送部と、
前記排出口を開放又は閉塞する排出口シャッタと、
前記挿入口を開放又は閉塞する挿入口シャッタと、
前記挿入口シャッタの開放動作と連動して前記排出口シャッタを閉塞させ、また前記挿入口シャッタの閉塞動作と連動して前記排出口シャッタを開放させる連動部と
を具えることを特徴とする媒体結束装置。
【発明の詳細な説明】
【技術分野】
【０００１】
本発明は媒体入出装置及び媒体処理装置に関し、例えば紙幣を所定枚数単位で施封して収納及び出金する施封小束支払機に適用して好適なものである。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
このうち施封小束支払機は、例えば所定枚数の紙幣を施封して紙幣小束とする施封部、紙幣小束を掴んで水平方向へ移動させる水平移動部、複数の紙幣小束を上下方向に重ねて収納する小束金庫、紙幣小束を認識して金種や施封状態を確認する認識部、小束金庫に収納しきれなかった紙幣小束等を収納するオーバーフロー庫等を有している。また施封小束支払機は、装置前面の上寄りから紙幣小束を出金する出金部や、当該出金部の近傍において紙幣小束を上下方向へ移動させる垂直移動部等も有している。
【０００４】
この施封小束支払機は、施封部により紙幣を例えば１００枚ごとに施封して紙幣小束とし、認識部により金種や施封状態を確認した上で、水平移動部によりその金種が対応付けられた小束金庫に収納する。また施封小束支払機は、金融機関の職員等から指示された金種及び数量の紙幣小束を水平移動部により小束金庫から取り出し、認識部により金種や施封状態を確認した上で、出金部から出金する（例えば、特許文献１参照）。
【０００５】
この施封小束支払機は、動作中の各部分や紙幣小束にオペレータの指が触れることによる負傷を防止する等の観点から、開閉可能なシャッタが設けられている。すなわち施封小束支払機は、紙幣小束の出金時にのみシャッタを開放し、それ以外は当該シャッタを閉塞するようになっている。
【先行技術文献】
【特許文献】
【０００６】
【特許文献１】特開２０１３−１４３０５３号公報（図１、図２等）
【発明の概要】
【発明が解決しようとする課題】
【０００７】
ところで、この施封小束支払機において、出金部に入金機能を持たせて入出金部とし、この入出金部を介して紙幣小束を外部から取り込んで小束金庫に収納することが考えられる。
【０００８】
一方、施封小束支払機では、入出金部の後方に施封部が配置されており、当該施封部において施封された紙幣小束を入出金部へ搬送する搬送部の排出口が、当該入出金部の後側面に直結している。
【０００９】
すなわちこの入出金部では、前側の側面に形成された前入出金口を介してオペレータに紙幣小束の取出又は挿入を行わせ、且つ後側に形成された排出口から施封部において施封された紙幣小束が排出されるようになる。
【００１０】
しかしながら施封小束支払機では、オペレータにより入出金部から紙幣小束を入金させる際に、オペレータの手により入出金部内に挿入された紙幣小束が施封搬送部の排出口に入り込んでしまい、適切に入金できない恐れがある、という問題があった。
【００１１】
本発明は以上の点を考慮してなされたもので、複数の入出箇所のうち適切な箇所から媒体を入出させ得る媒体入出装置及び媒体処理装置を提案しようとするものである。
【課題を解決するための手段】
【００１２】
かかる課題を解決するため本発明の媒体入出装置においては、媒体を収納すべき収納空間と、収納空間の側面に形成され、当該収納空間内へ媒体を排出する排出口と、収納空間の側面のうち排出口と対向する側面に形成され、外部から媒体を収納空間内へ挿入させるための挿入口と、排出口を開放又は閉塞する排出口シャッタと、挿入口を開放又は閉塞する挿入口シャッタと、挿入口シャッタの開放動作と連動して排出口シャッタを閉塞させ、また挿入口シャッタの閉塞動作と連動して排出口シャッタを開放させる連動部とを設けるようにした。
【００１３】
また本発明の紙葉状の媒体を複数集積した状態で結束して媒体束を生成する結束部と、外部へ排出し、又は内部へ取り込むべき媒体束を一時的に収納する収納空間と、収納空間の側面に形成され、結束部により結束された媒体束を当該収納空間内へ排出する排出口と、収納空間の側面のうち排出口と対向する側面に形成され、外部から媒体束を収納空間内へ挿入させるための挿入口と、収納空間内の媒体束を格納する格納部と、媒体束を収納空間と格納部との間で搬送する搬送部と、排出口を開放又は閉塞する排出口シャッタと、挿入口を開放又は閉塞する挿入口シャッタと、挿入口シャッタの開放動作と連動して排出口シャッタを閉塞させ、また挿入口シャッタの閉塞動作と連動して前記排出口シャッタを開放させる連動部とを設けるようにした。
【００１４】
本発明では、挿入口シャッタを開放させた場合、その開放動作と連動して排出口シャッタを閉塞させるため、開放された挿入口からオペレータにより収納空間内に媒体又は媒体束が挿入される際に、当該挿入口と対向する位置にある排出口にその一部が入り込んでしまう危険性を排除でき、その一方で挿入口シャッタを閉塞した場合には、排出口シャッタを開放して収納空間内へ媒体又は媒体束を排出させることができる。
【発明の効果】
【００１５】
本発明によれば、挿入口シャッタを開放させた場合には、排出口シャッタを閉塞し、挿入口からオペレータにより収納空間内に挿入された媒体又は媒体束の一部が排出口に入り込むことを排除でき、挿入口シャッタを閉塞した場合には、排出口シャッタを開放し、収納空間内へ媒体又は媒体束を排出させることができる。かくして本発明は、複数の入出箇所のうち適切な箇所から媒体を入出させ得る媒体入出装置及び媒体処理装置を実現できる。
【図面の簡単な説明】
【００１６】
【図１】出納システムの全体構成を示す略線的斜視図である。
【図２】施封小束支払機の内部構成を示す略線図である。
【図３】入出金部の構成を示す略線的斜視図である。
【図４】入出金部の構成を示す略線図である。
【図５】入出金部の構成を示す略線的斜視図である。
【図６】入出金部の前孔部と施封部の搬送部との位置関係を示す略線図である。
【図７】上シャッタ体及び下シャッタ体の構成を示す略線的斜視図である。
【図８】前開閉部の構成を示す略線図である。
【図９】後開閉部の構成を示す略線図である。
【図１０】入出金部における検知部の配置を示す略線図である。
【図１１】入出金部における各開閉部の開閉動作の連動を示す略線図である。
【発明を実施するための形態】
【００１７】
以下、発明を実施するための形態（以下実施の形態とする）について、図面を用いて説明する。
【００１８】
［１．出納システムの構成］
図１において、出納システム１は、例えば金融機関の営業店において図示しない接客用カウンタの後方に設置され、金銭に関する入金や出金等の各種処理を総合的に実行するようになっている。出納システム１は、紙幣入出金機２、施封小束支払機３、紙幣補充回収機４、新券支払機５、棒金支払機６、硬貨入出金機７、認証プリンタ８、現金外ポスト９、制御装置１２及び操作表示部１３を有している。
【００１９】
紙幣入出金機２は、紙幣を１枚単位で入出金する。施封小束支払機３は、金種別の紙幣を所定枚数（例えば１００枚）毎に施封して紙幣小束にした状態で収納し、また当該紙幣小束を出金する。
【００２０】
紙幣補充回収機４は、例えば金融機関の営業店、小売店や公共施設等に設置される現金自動預払機（ＡＴＭ：Automatic Teller Machine、図示せず）に着脱可能であり、当該現金自動預払機で行われる取引用の紙幣を収納する補充回収カセットに紙幣を補充し、また補充回収カセットから紙幣を回収する。
【００２１】
新券支払機５は、紙幣補充回収機４の上側に組み込まれて一体化されており、各金種の新券（新札）を出金する。棒金支払機６は、金種別の一定枚数毎に棒状に重ねて包まれた硬貨（いわゆる棒金）を出金する。硬貨入出金機７は、硬貨を１枚単位で入出金する。
【００２２】
認証プリンタ８は、紙幣補充回収機４に載置され、紙幣入出金機２や施封小束支払機３、紙幣補充回収機４、新券支払機５、棒金支払機６及び硬貨入出金機７で行われる入金や出金等の処理内容を認証して所定の帳票等に印字し排出する。現金外ポスト９は、硬貨入出金機７に載置されており、現金以外の小切手や定期預金証書等の有価証券を取り込んで入金処理する。
【００２３】
操作表示部１３はディスプレイ１０とキーボード１１とにより構成されている。ディスプレイ１０は、紙幣入出金機２に正面を前方向に向けて載置されており、入金や出金等の各種処理に関する種々の情報を表示するＬＣＤ（Liquid Crystal Display）と、取引の種類の選択、金種等を入力するタッチパネルとが一体化されている。キーボード１１は、ディスプレイ１０の前に載置されており、入金や出金等の各種処理に関する種々の情報や指示等を入力する。制御装置１２は、出納システム１全体を統括制御する。
【００２４】
出納システム１は、これら各種装置の少なくとも一部については比較的自由に配置することができるものの、例えば、棒金支払機６、施封小束支払機３、紙幣補充回収機４、紙幣入出金機２、制御装置１２及び硬貨入出金機７が、各々の正面を同一方向に向け互いに隣接するよう横一列に配置されている。
【００２５】
以下の説明では、出納システム１における棒金支払機６、施封小束支払機３、紙幣補充回収機４、紙幣入出金機２、制御装置１２及び硬貨入出金機７各々の正面が向く方向を前方向と定義し、その反対を後方向と定義して、さらに当該出納システム１の前側に対峙したときの左右方向及び上下方向をそれぞれ定義する。
【００２６】
出納システム１では、右方向に向けて順次隣接するように配置された施封小束支払機３、紙幣補充回収機４及び紙幣入出金機２が、紙幣を左方向及び右方向に搬送する装置間搬送部（図示せず）によって接続されている。これにより出納システム１は、施封小束支払機３、紙幣補充回収機４及び紙幣入出金機２の間で、施封や補充、回収等の各種処理に用いる紙幣を、装置間搬送部を介して適宜搬送して受け渡すことができる。
【００２７】
［２．施封小束支払機の内部構成］
図２に示すように、施封小束支払機３は、箱状の施封小束支払機筐体２０を中心に構成されており、当該施封小束支払機筐体２０の前面に入出金部４０が設けられている。
【００２８】
施封小束支払機筐体２０の内部には、上側に配置された上部ユニット２４と、下側に配置された下部ユニット２６とが設けられている。上部ユニット２４には、主に制御部３０、装置間搬送部３２、集積部３４、紙幣クランプ移動部３６、施封部３８及び入出金部４０が設けられている。下部ユニット２６には、主に昇降部４２、オーバーフロー庫４８、小束クランプ移動機構５０、小束押込機構５２、認識部５４及び複数の小束金庫５６が設けられている。
【００２９】
この施封小束支払機３では、制御部３０が上述の各部を制御して、紙幣小束Ｔの施封処理、入金処理、出金処理、小束金庫５６に収納された紙幣小束Ｔの金種及び束数を確認する自動精査処理等を行うようになっている。
【００３０】
制御部３０は、図示しないＣＰＵ（Central Processing Unit）を中心に構成されており、図示しないＲＯＭやフラッシュメモリ等から所定のプログラムを読み出して実行することにより、紙幣小束Ｔの施封処理等の種々の処理を行うようになっている。また制御部３０は、内部にＲＡＭ（Random Access Memory）、ハードディスクドライブやフラッシュメモリ等でなる記憶部を有しており、この記憶部に種々の情報を記憶させるようになっている。
【００３１】
施封小束支払機筐体２０は、前側に内部空間と外部とを連通させる連通孔が形成されており、当該内部空間内に下部ユニット２６を収納している。下部ユニット２６はスライドレール（図示せず）を介して施封小束支払機筐体２０に取り付けられており、当該施封小束支払機筐体２０に対し前方向又は後方向へ直線的に且つ円滑に移動する。
【００３２】
下部ユニット２６の前面には、当該下部ユニット２６が施封小束支払機筐体２０内部に収納された際に当該施封小束支払機筐体２０の連通孔を閉鎖する前面パネル２２が形成されている。すなわち施封小束支払機３は、オペレータとの間で現金に関する取引を行う取引動作時には、図２に示したように下部ユニット２６を施封小束支払機筐体２０内部に収納することにより、内部に保有している紙幣等を保護する。一方施封小束支払機３は、金融機関の職員等のオペレータが紙幣小束の補充・回収等を行う保守作業時には、施封小束支払機筐体２０内部から下部ユニット２６を引き出させることにより、内部の各部に対する作業を容易に行わせる。
【００３３】
装置間搬送部３２は、施封小束支払機３内の上側後端に配置され、紙幣補充回収機４又は紙幣入出金機２（図１）から搬送された紙幣を受け取り、集積部３４（３４ａ又は３４ｂ）へ１枚ずつ搬送する。集積部３４は、装置間搬送部３２の前方に配置され、装置間搬送部３２から搬送された紙幣を金種毎に分類計数すると共に、当該紙幣を１００枚ずつ集積させる。
【００３４】
紙幣クランプ移動部３６は、装置間搬送部３２と集積部３４との間に配置され、当該集積部３４に集積された１００枚の紙幣を施封部３８まで搬送する。施封部３８は、紙幣クランプ移動部３６の前方下側に配置され、当該紙幣クランプ移動部３６により搬送された１００枚の紙幣の束を紙幣小束Ｔとして結束帯で施封し、前方へ搬送して入出金部４０内へ排出する。
【００３５】
入出金部４０は、内部に紙幣小束Ｔを収納する空間を有すると共に、前面に開閉可能なシャッタ（詳しくは後述する）を有している。この入出金部４０は、通常時にはシャッタを閉塞して内部へのアクセスを抑制する一方、オペレータへ出金する紙幣小束Ｔを取り出させるとき、及びオペレータにより紙幣小束Ｔが投入されるときに、当該シャッタを開放する。
【００３６】
入出金部４０の下方には、昇降部４２が設けられている。昇降部４２は、施封小束支払機３内の前端に位置しており、施封小束支払機筐体２０の底板近傍を下端として入出金部４０の近傍まで上方に延在する昇降路４６と、紙幣小束Ｔが上面に載置されるステージ４５と、当該昇降路４６内で当該ステージ４５を上下方向に移動させる昇降機構部４４とにより構成されている。
【００３７】
また昇降部４２の後方下側には、上部ユニット２４に対し所定の間隔を空けるようにして、４個の小束金庫５６が前後方向に並んで配置されている。小束金庫５６は、例えば金種毎に用意され、内壁により囲まれた内部空間に、それぞれ指定された金種の紙幣小束Ｔを例えば２０束ずつ収納する。
【００３８】
オーバーフロー庫４８は、昇降部４２と小束金庫５６との間に配置されている。このオーバーフロー庫４８は、囲まれた内部空間を有し、後述する認識部５４において金種を識別できなかった紙幣小束Ｔや、入金時に小束金庫５６が満杯で収納できなかった紙幣小束Ｔ等を収納する。
【００３９】
上部ユニット２４と下部ユニット２６における小束金庫５６との間には、前後方向に沿って通路５８が形成されている。この通路５８内には、小束クランプ移動機構５０及び小束押込機構５２が前後方向に移動可能に設けられている。小束クランプ移動機構５０及び小束押込機構５２は、小束クランプ移動機構５０が前側、小束押込機構５２が後側となる位置関係を維持しながら通路５８内を移動する。
【００４０】
小束クランプ移動機構５０は、昇降機構部４４と小束金庫５６との間で紙幣小束Ｔを把持して移動させる。また小束クランプ移動機構５０は、昇降機構部４４又は小束金庫５６からオーバーフロー庫４８へも紙幣小束Ｔを移動させる。
【００４１】
小束押込機構５２は、入金処理時において小束クランプ移動機構５０から小束金庫５６へ紙幣小束Ｔを押し込むと共に、出金処理時において、小束金庫５６に対し、当該小束金庫５６内に収納された紙幣小束Ｔを上方へ押し上げさせる。
【００４２】
また小束押込機構５２には、紙幣小束Ｔの金種の識別、束数の計数、紙幣小束Ｔが正常に施封されているか否かの施封状態の検出を行う認識部５４が設けられている。認識部５４は、小束クランプ移動機構５０により把持された紙幣小束Ｔが当該認識部５４を通過する際に当該紙幣小束Ｔの金種を識別し、束数を計数し、施封状態を検出し、識別結果、計数結果及び検出結果を認識結果として制御部３０に供給する。
【００４３】
このように施封小束支払機３は、施封部３８により施封した紙幣小束Ｔを入出金部４０へ排出し、これをオペレータに取り出させ、又は昇降部４２及び小束クランプ移動機構５０等により小束金庫５６へ搬送して収納させるようになっている。
【００４４】
これに加えて施封小束支払機３は、小束金庫５６に収納されている紙幣小束Ｔを入出金部４０間で搬送してオペレータに取り出させ、若しくはオペレータに紙幣小束Ｔを入出金部４０に投入させて当該紙幣小束Ｔを小束金庫５６まで搬送して収納するようにもなっている。
【００４５】
［３．入出金部の構成］
次に、入出金部４０の構成について詳細に説明する。図３（Ａ）に示すように、入出金部４０は、上部ユニット２４の前端下方に位置しており、当該上部ユニット２４の前面パネル２５によりその一部が覆われている。
【００４６】
この入出金部４０は、図４に模式的な正面図を示すと共に図５に後左斜め後方から見た斜視図を示すように、中空の直方体状でなるフレーム６０を中心に構成されている。フレーム６０は、その内部に紙幣小束Ｔを収納するための収納空間６０Ｓを形成すると共に、前面及び下面の中央にそれぞれ大きな矩形状の前孔部６０ＨＦ及び下孔部６０ＨＢが穿設されている。
【００４７】
因みに上部ユニット２４の前面パネル２５（図３）には、前孔部６０ＨＦとほぼ同等の大きさでなり当該前孔部６０ＨＦと連通する孔部２５Ｈが形成されている。また収納空間６０Ｓは、例えば紙面を上下方向に向けた５束程度の紙幣小束Ｔを上下方向に積み重ねた状態で、余裕を持った状態で収容し得る程度の大きさに形成されている。
【００４８】
収納空間６０Ｓは、その下側において昇降部４２の昇降路４６と連通されている。このため入出金部４０は、昇降部４２の昇降機構部４４によりステージ４５が上昇されてその上面を収納空間６０Ｓの下端に、すなわち下孔部６０ＨＢを塞ぐように位置させたときに、当該ステージ４５を当該収納空間６０Ｓの底部として機能させることができる。以下、このときのステージ４５の位置を底部位置と呼ぶ。
【００４９】
すなわち入出金部４０は、ステージ４５が底部位置にあるとき、当該ステージ４５上に紙幣小束Ｔが載置されると、収納空間６０Ｓ内に当該紙幣小束Ｔを収容した状態となる。また入出金部４０は、ステージ４５が底部位置にあるとき、オペレータにより前孔部６０ＨＦを介して収納空間６０Ｓ内から紙幣小束Ｔを取り出させ、又は当該前孔部６０ＨＦを介して収納空間６０Ｓ内へ紙幣小束Ｔを投入させることもできる（詳しくは後述する）。
【００５０】
さらに入出金部４０は、紙幣小束Ｔが載置されたステージ４５が昇降機構部４４によって下孔部６０ＨＢを介して上昇又は下降されることにより、当該紙幣小束Ｔを収納空間６０Ｓへ搬入し、又は当該収納空間６０Ｓから搬出することができる。
【００５１】
またフレーム６０の前下部には、前孔部６０ＨＦの下辺及び下孔部６０ＨＢの前辺に相当する箇所に、フロントガイド６０Ｇが設けられている（図３（Ａ））。このフロントガイド６０Ｇは、前後方向に短く左右方向に細長い棒状に形成されている。またフロントガイド６０Ｇにおける上面の高さは、底部位置にあるときのステージ４５の上面の高さとほぼ同等となっている。
【００５２】
さらにフロントガイド６０Ｇにおける左右方向に関し中央の約１／３の範囲には、周囲よりも下方へ窪んだ窪み部６０ＧＤが形成されている。これを換言すれば、前孔部６０ＨＦは、左右方向に関し中央の約１／３の範囲が下方へ拡張されている。これと対応するように、ステージ４５は、上面の前寄り部分における左右方向に関し中央の約１／３の範囲に、周囲よりも下方に窪んだ窪み部４５Ｄが形成されている。
【００５３】
入出金部４０は、ステージ４５が底部位置にあるとき、フロントガイド６０Ｇの窪み部６０ＧＤとステージ４５の窪み部４５Ｄとを前後方向に連通させることができる。これにより入出金部４０では、ステージ４５上に載置されている紙幣小束Ｔをオペレータの指により把持させる際に、フロントガイド６０Ｇの窪み部６０ＧＤ及びステージ４５の窪み部４５Ｄから、当該紙幣小束Ｔの下面よりも下側にその指先を容易に挿入させることができる。その後入出金部４０は、オペレータの残りの指をステージ４５上に載置されている紙幣小束Ｔの上面に位置させて把持させることで、当該紙幣小束Ｔを容易に取り出させることができる。
【００５４】
また入出金部４０は、オペレータによりステージ４５上に紙幣小束Ｔを載置させる場合、オペレータに紙幣小束Ｔの両面を指先で挟むように把持したまま収納空間６０Ｓ内に挿入させ、下面側を把持している指をフロントガイド６０Ｇの窪み部６０ＧＤ及びステージ４５の窪み部４５Ｄ内に、すなわちステージ４５の上面よりも下方に位置させることができる。このため入出金部４０は、オペレータが指を引き抜く際に紙幣小束Ｔの下面に引っかかり、ステージ４５上に載置すべき紙幣小束Ｔを正しい位置から移動させてしまう恐れを格段に低減できる。
【００５５】
一方、図５に示したように、フレーム６０の後側面には、中央よりも下側に左右方向に長い後孔部６０ＨＲが穿設されている。また図６に模式的な側面図を示すように、フレーム６０における後孔部６０ＨＲの後方には、施封部３８（図２）において施封された紙幣小束Ｔを前方へ搬送するための搬送路Ｗに沿って、搬送部３８Ｔが配置されている。
【００５６】
この搬送部３８Ｔには、搬送路Ｗの前端となる位置の上下に回転可能なローラ３８Ｒがそれぞれ配置され、当該ローラ３８Ｒの前周側部を周回しながら搬送路Ｗの上下をそれぞれ走行するようにベルト３８Ｂが掛け渡されている。
【００５７】
施封部３８は、紙幣の束を施封して紙幣小束Ｔとすると、この紙幣小束Ｔを搬送部３８Ｔにより前方へ搬送し、その前端から後孔部６０ＨＲを介して当該紙幣小束Ｔを入出金部４０の収納空間６０Ｓ内へ排出するようになっている。
【００５８】
さらに図３（Ａ）及び（Ｂ）に示したように、前面パネル２５における孔部２５Ｈの上側には、他の部分よりも後方に凹んだ凹部２５Ｔが形成されている。この凹部２５Ｔにおける上下左右の中央近傍には、フリッカ２５Ｆが設けられている。
【００５９】
フリッカ２５Ｆは、左右方向に細長い矩形状に形成されており、左右方向の長さが凹部２５Ｔにおける左右方向の長さの約１／３程度となっている。またフリッカ２５Ｆは、その前面が凹部２５Ｔの表面よりも僅かに前方へ突出している。さらにフリッカ２５Ｆは、半透明の樹脂材料によって構成されており、その後方に発光部２５ＦＬが組み込まれている。この発光部２５ＦＬは、例えば赤色及び緑色の発光ダイオードでなり、制御部３０（図２）の制御に基づき、赤色又は緑色で点灯又は点滅するようになっている。
【００６０】
かかる構成によりフリッカ２５Ｆは、制御部３０の制御に基づいて赤色又は緑色で点灯又は点滅することにより、オペレータに入出金部４０に着目させることができる。これに加えて制御部３０は、フリッカ２５Ｆにおける点灯色、点灯又は点滅の相違、さらには点滅の場合における周期等（以下これを点灯パターンと呼ぶ）を、それぞれ「入金」や「出金」等のようなオペレータがなすべき特定の操作と対応付けている。このためフリッカ２５Ｆは、この対応付けを把握しているオペレータに対し、その点灯パターンにより必要な操作を容易に認識させ、「入金」や「出金」のような操作を促すことができる。
【００６１】
ところで出納システム１（図１）は、オペレータと比較してシステム全体が比較的大きく構成されているため、前面付近で操作するオペレータから見た場合、本人の正面近傍であれば良好に視認できるものの、正面近傍から外れた箇所については却って視認し難くなってしまう。この点を踏まえてフリッカ２５Ｆは、前面パネル２５において他の部分よりも後方に凹んだ凹部２５Ｔに設けられ、且つ当該凹部２５Ｔよりも前方に突出している（図３）。このためフリッカ２５Ｆは、左右方向や上下方向からの視認性を高めることができ、特に出納システム１の前面近傍で操作するオペレータに対し、容易に視認させることができる。
【００６２】
［３−１．前開閉部の構成］
入出金部４０には、前側から左右の両側にかけて、前孔部６０ＨＦを閉塞又は開放する前開閉部６１が設けられている。前開閉部６１は、大きく分けて上側の上シャッタ体６２、下側の下シャッタ体６３及び駆動機構部６４により構成されている（図３（Ｂ）及び図４）。
【００６３】
上シャッタ体６２は、図７（Ａ）に示すように、左右方向に長く前後方向に薄い板状に形成された上遮蔽部６２Ａの左右両端から、左右方向に薄い板状でなる左支持部６２Ｂ及び右支持部６２Ｃがそれぞれ後方へ向けて延接されている。
【００６４】
上遮蔽部６２Ａは、上側部分及び下側部分がそれぞれ斜め後方へ向けて僅かに折り曲げられ、左右側方から見て前方に突出した円弧に近似した形状となっている。左支持部６２Ｂ及び右支持部６２Ｃそれぞれの後端近傍には、丸孔でなる孔部６２ＢＨ及び６２ＣＨがそれぞれ穿設されている。この孔部６２ＢＨ及び６２ＣＨは、上遮蔽部６２Ａを近似した円弧のほぼ中心に位置している。また左支持部６２Ｂにおける上遮蔽部６２Ａとの接続部分近傍には、下側から大きく切り込まれた切込部６２ＢＵが形成されている。
【００６５】
下シャッタ体６３は、図７（Ｂ）に示すように、上シャッタ体６２と類似した構造となっており、左右方向に長く前後方向に薄い板状に形成された下遮蔽部６３Ａの左右両端からそれぞれ後方へ向けて、左右方向に薄い板状でなる左支持部６３Ｂ及び右支持部６３Ｃがそれぞれ後方へ延接されたような形状となっている。
【００６６】
下遮蔽部６３Ａは、上遮蔽部６２Ａと同様、上側部分及び下側部分がそれぞれ斜め後方へ向けて僅かに折り曲げられ、左右側方から見て前方に突出した円弧に近似した形状となっている。また下遮蔽部６３Ａの下端は、フロントガイド６０Ｇに形成された窪み部６０ＧＤ（図３（Ａ））に対応させるように、左右の中央部分が周囲よりも僅かに下方へ延長されている。
【００６７】
左支持部６３Ｂ及び右支持部６３Ｃそれぞれの後寄りには、丸孔でなる孔部６３ＢＨ及び６３ＣＨがそれぞれ穿設されている。この孔部６３ＢＨ及び６３ＣＨは、下遮蔽部６３Ａを近似した円弧のほぼ中心に位置している。また左支持部６３Ｂにおける下遮蔽部６３Ａとの接続部分近傍には、上側から大きく切り込まれた切込部６３ＢＵが形成されている。
【００６８】
さらに左支持部６３Ｂには、孔部６３ＢＨの近傍から後方へ向けて、後腕部６３Ｄが延長されている。この後腕部６３Ｄは、左支持部６３Ｂとの接続部分に対して後端部分が左側に位置するよう、上方から見てクランク状に屈曲されている。
【００６９】
因みに下シャッタ体６３における孔部６３ＢＨ及び６３ＣＨから下遮蔽部６３Ａまでの距離、すなわち円弧の半径は、上シャッタ体６２における孔部６２ＢＨ及び６２ＣＨから上遮蔽部６２Ａまでの距離よりも僅かに短くなっている。また下シャッタ体６３における左支持部６３Ｂ及び右支持部６３Ｃの間隔は、上シャッタ体６２における左支持部６２Ｂ及び右支持部６２Ｃの間隔よりも僅かに広くなっている。
【００７０】
一方、フレーム６０における左右側板の後寄りには、中心軸を左右方向に向けた小さな円柱状の回動軸６５が、左右の外方へ向けてそれぞれ立設されている。この回動軸６５は、上シャッタ体６２の孔部６２ＢＨ及び６２ＣＨ並びに下シャッタ体６３の孔部６３ＢＨ及び６３ＣＨがそれぞれ挿通される。これにより回動軸６５は、上シャッタ体６２及び下シャッタ体６３を、フレーム６０に対しそれぞれ回動可能に支持している。
【００７１】
またフレーム６０の左側には、駆動機構部６４が取り付けられている。駆動機構部６４は、図示しないアクチュエータやギア等の組み合わせにより構成されており、制御部３０の制御に基づいて上シャッタ体６２の左支持部６２Ｂ及び下シャッタ体６３の左支持部６３Ｂに対しそれぞれ駆動力を伝達する。因みに駆動機構部６４は、上シャッタ体６２を下シャッタ体６３の約半分の速度で回動させるようになっている。
【００７２】
すなわち駆動機構部６４は、前孔部６０ＨＦを閉塞する場合、図８（Ａ）に模式的な左側面図を示すように、前孔部６０ＨＦの上側約半分を覆うように上遮蔽部６２Ａを位置させると共に、当該前孔部６０ＨＦの下側約半分を覆うように下遮蔽部６３Ａを位置させる。このとき後腕部６３Ｄは、比較的上方に位置している。以下、これを前開閉部６１の閉塞状態と呼ぶ。
【００７３】
また駆動機構部６４は、前孔部６０ＨＦを開放する場合、図８（Ａ）と対応する図８（Ｂ）に示すように、上シャッタ体６２及び下シャッタ体６３をそれぞれ回動させ、フレーム６０の前上方において下遮蔽部６３Ａ及び上遮蔽部６２Ａを互いに重ねるように位置させる。このとき後腕部６３Ｄは、比較的下方に位置している。以下、これを前開閉部６１の開放状態と呼ぶ。
【００７４】
このように前開閉部６１は、駆動機構部６４から伝達される駆動力によって回動軸６５を中心に上シャッタ体６２及び下シャッタ体６３をそれぞれ回動させることにより、閉塞状態（図８（Ａ））又は開放状態（図８（Ｂ））に遷移するようになっている。
【００７５】
［３−２．後シャッタ部の構成］
一方、フレーム６０の後側における中央ないし左側には、図９（Ａ）に模式的な後面図を示すように、後開閉部７０が設けられている。後開閉部７０は、後シャッタ体７１及びリンク体７２を中心に構成されている。
【００７６】
後シャッタ体７１は、前後方向に薄く左右方向にやや長い板状に形成されている。この後シャッタ体７１は、図５にも示したように、フレーム６０の後側面を形成する板状部材よりも前側に、すなわちこの板状部材とフレーム６０の内側を形成する部分との比較的狭い隙間に位置している。説明の都合上、以下では後シャッタ体７１における長手方向の端部のうち、図９（Ａ）において右側に位置している部分を先端部７１Ｅと呼ぶ。
【００７７】
また後シャッタ体７１には、図９（Ａ）において左側の端部からやや離れた位置に、小さな丸孔でなる回動孔７１Ｈ１が穿設されると共に、当該回動孔７１Ｈよりも左端寄りに、小さな丸孔でなるリンク孔７１Ｈ２が穿設されている。
【００７８】
一方、フレーム６０の後側面には、後孔部６０ＨＲの上側部分おける左右の中央近傍に、中心軸を前後方向に向けた小さな円柱状でなる回動軸７３が立設されている。後シャッタ体７１は、回動孔７１Ｈ１が回動軸７３に挿通されることにより、当該フレーム６０によって当該回動軸７３を中心として回動し得るように支持される。
【００７９】
後シャッタ体７１は、回動軸７３を中心に回動することにより、図９（Ａ）に示したように、先端部７１Ｅを後孔部６０ＨＲの上辺６０ＨＲＴよりも上側に位置させた状態、又は図９（Ｂ）に示すように先端部７１Ｅを後孔部６０ＨＲの下辺６０ＨＲＢ寄りも下側に位置させた状態との間を遷移する。以下では、それぞれの状態を後開閉部７０の開放状態（図９（Ａ））又は閉塞状態（図９（Ｂ））と呼ぶ。
【００８０】
後開閉部７０は、開放状態（図９（Ａ））にある場合、後孔部６０ＨＲを紙幣小束Ｔが通過することを許容する。すなわちこのとき施封部３８（図２）は、施封された紙幣小束Ｔを搬送部３８Ｔ（図６）により前方へ搬送した後、入出金部４０の収納空間６０Ｓ内に排出することができる。
【００８１】
一方、後開閉部７０は、閉塞状態（図９（Ｂ））にある場合、後孔部６０ＨＲを紙幣小束Ｔが通過することを規制する。すなわちこのとき入出金部４０では、前方からオペレータの手により収納空間６０Ｓ内へ紙幣小束Ｔが挿入される際に、その後端をフレーム６０の後内側面又は後シャッタ体７１の前面に当接させ、搬送部３８Ｔ内にその一部を突入させること無く、当該収納空間６０Ｓ内に止めることができる。
【００８２】
また後シャッタ体７１のリンク孔７１Ｈ２には、回動軸７３と同様に中心軸を前後方向に向けた小さな円柱状でなるリンク軸７４が立設されている。このためリンク軸７４は、後シャッタ体７１が回動軸７３を中心として回動する際に、当該後シャッタ体７１と一体に回動する。
【００８３】
フレーム６０の後側面における後シャッタ体７１の左側には、リンク体７２が設けられている。リンク体７２は、前後方向に薄い板状の部材でなり、大きく分けて右腕部７２Ａ、左腕部７２Ｂ及び連動腕部７２Ｃにより構成されている。
【００８４】
右腕部７２Ａは、右下と左上とを結ぶ傾斜方向に沿って細長く形成されており、その左端に左腕部７２Ｂが接続されている。左腕部７２Ｂは、右腕部７２Ａとの接続部分から左斜め下方へ向けて細長い形状に形成されており、その左下端から左方へ向けて連動腕部７２Ｃが延接されている。因みに左腕部７２Ｂは、上下の中央近傍において前後方向にクランク状に折り曲げられることにより、上側に対し下側が前方に位置している。
【００８５】
リンク体７２における右腕部７２Ａと左腕部７２Ｂとの接合部近傍には、小さな丸孔でなる回動孔７２Ｈ１が穿設されている。一方、フレーム６０の後側面における左上端近傍には、回動軸７３と同様に中心軸を前後方向に向けた小さな円柱状でなる回動軸７５が立設されている。リンク体７２は、回動孔７２Ｈ１がこの回動軸７５に挿通されることにより、当該回動軸７５を回動中心として自在に回動することができる。
【００８６】
リンク体７２における右腕部７２Ａの右下端近傍には、右下と左上とを結ぶ傾斜方向に沿った長孔でなるリンク孔７２Ｈ２が穿設されている。このリンク孔７２Ｈ２には、後シャッタ体７１に立設されたリンク軸７４が挿通されている。
【００８７】
このため後開閉部７０では、後シャッタ体７１が回動軸７３を中心に回動するとき、リンク軸７４及びリンク孔７２Ｈ２を介して駆動力が伝達され、リンク体７２が回動軸７５を中心に回動する。また後開閉部７０では、これと反対に、リンク体７２が回動軸７５を中心に回動するとき、やはりリンク軸７４及びリンク孔７２Ｈ２を介して駆動力が伝達され、後シャッタ体７１が回動軸７３を中心に回動する。
【００８８】
また図５に示したように、リンク体７２の連動腕部７２Ｃは、フレーム６０の左外側面よりも外方に突出しており、且つ下シャッタ体６３の後腕部６３Ｄよりも上方に位置している。
【００８９】
さらにリンク体７２は、トーションばねでなるスプリング７６により、後方から見て回動軸７５を中心とした時計回りに、すなわち左腕部７２Ｂを下方へ下降させると共に右腕部７２Ａを上方へ持ち上げる方向に付勢される。
【００９０】
このため後開閉部７０では、特に外力が加えられていない場合、スプリング７６の作用により、右腕部７２Ａが下方へ押し下げられるように回動し、リンク孔７２Ｈ２を介してリンク軸７４が上方へ持ち上げられる。
【００９１】
これにより後シャッタ体７１は、後方から見て回動軸７３を中心に反時計回りに回動し、先端部７１Ｅを後孔部６０ＨＲの下辺６０ＨＲＢよりも下方に位置させる。この結果、後開閉部７０は、図９（Ｂ）に示したように、後シャッタ体７１を閉塞状態に遷移させる。
【００９２】
因みにリンク体７２は、図９（Ｂ）に示した閉塞状態において、その一部をフレーム６０の所定箇所と当接させることにより、後方から見て時計回りへの回動範囲が規制され、後シャッタ体７１を当該閉塞状態の位置に止める。
【００９３】
一方、後開閉部７０は、リンク体７２に対しスプリング７６の付勢力に反する力、すなわち連動腕部７２Ｃを上方向へ持ち上げる力が作用すると、当該リンク体７２を後方から見て回動軸７５を中心とした反時計回りに回動させる。
【００９４】
このときリンク体７２は、右腕部７２Ａを下方へ下降させ、リンク孔７２Ｈ２を介してリンク軸７４を下方へ下ろすため、後シャッタ体７１が後方から見て回動軸７３を中心に時計回りに回動し、先端部７１Ｅを後孔部６０ＨＲの上辺６０ＨＲＴよりも上方に位置させる。この結果、後開閉部７０は、図９（Ａ）に示したように、後シャッタ体７１を開放状態に遷移させる。
【００９５】
このように後開閉部７０は、リンク体７２と連動させながら後シャッタ体７１を回動させることにより開放状態（図９（Ａ））又は閉塞状態（図９（Ｂ））に遷移し得るようになっており、またスプリング７６により開放状態から閉塞状態へ遷移させるような力が作用している。
【００９６】
以下では、説明の都合上、前開閉部６１における下シャッタ体６３の後腕部６３Ｄと、後開閉部７０におけるリンク体７２の連動腕部７２Ｃと、スプリング７６とを、まとめて連動部７８と呼ぶ（図５）。
【００９７】
［３−３．検知部の配置］
さらに図１０（Ａ）、（Ｂ）及び（Ｃ）に示すように、入出金部４０内には、紙幣小束Ｔやオペレータの指等の有無を検知するための複数組の検知部が配置されている。因みに図１０（Ａ）、（Ｂ）及び（Ｃ）は、入出金部４０内における各検知部の配置を模式的に示したものである。
【００９８】
入出金部４０内に設けられた各検知部は、検知光を発光する発光部及び当該検知光を受光する受光部の組み合わせにより構成されている。この発光部及び受光部は、当該発光部から発光される検知光の光路が収納空間６０Ｓ内における紙幣小束Ｔやオペレータの指等の有無を検知したい箇所を通過するよう、それぞれの配置が定められている。また各検知部の受光部は、受光結果を表す受光信号を生成して制御部３０（図２）に通知するようになっている。
【００９９】
ステージ上検知部８１の発光部及び受光部は、入出金部４０における中央よりもやや左側に、底部位置にあるステージ４５の後方とフレーム６０の天井面前方とに分かれて、それぞれ配置されている。すなわちステージ上検知部８１の検知光Ｌ１は、収納空間６０Ｓの後下方と前上方との間を斜め方向に進行する。因みにステージ４５には、検知光Ｌ１の通過箇所に合わせて切り欠きが形成されている。
【０１００】
またステージ上検知部８２の発光部及び受光部は、フレーム６０内でステージ上検知部８１の発光部及び受光部とほぼ左右対称となる位置にそれぞれ配置されている。すなわちステージ上検知部８２の検知光Ｌ２は、収納空間６０Ｓの後下方と前上方との間を斜め方向に、すなわち検知光Ｌ１とほぼ平行に進行する。
【０１０１】
このステージ上検知部８１及び８２は、検知光Ｌ１及びＬ２が遮光されるか否かを基に、ステージ４５上に１束以上の紙幣小束Ｔが載置されているか否かを検知することができる。このため制御部３０は、ステージ上検知部８１及び８２の検知結果を基に、例えばステージ４５上に載置されていた紙幣小束Ｔが全て取り出されたか否か、或いはステージ４５上に１束以上の紙幣小束Ｔが投入されたか否か等を認識することができる。
【０１０２】
前斜行検知部８３の発光部及び受光部は、入出金部４０における前寄りに、フレーム６０の左上と右下とに分かれて、それぞれ配置されている。すなわち前斜行検知部８３の検知光Ｌ３は、収納空間６０Ｓの前端近傍において、左上方と右下方との間を斜め方向に進行する。前斜行検知部８４の発光部及び受光部は、フレーム６０内で前斜行検知部８３の発光部及び受光部とそれぞれほぼ左右対称に配置されている。すなわち前斜行検知部８４の検知光Ｌ４は、収納空間６０Ｓの前端近傍において、右上方と左下方との間を斜め方向に進行する。
【０１０３】
この前斜行検知部８３及び８４は、検知光Ｌ３及びＬ４が遮光されるか否かを基に、収納空間６０Ｓの前端近傍に１束以上の紙幣小束Ｔやオペレータの指等が位置しているか否かを検知することができる。このため制御部３０は、前斜行検知部８３及び８４の検知結果を基に、例えばステージ４５上に載置されている紙幣小束Ｔの一部が前方へ飛び出しており、前開閉部６１を閉塞した際に当該紙幣小束Ｔを挟み込む恐れがあることを認識できる。
【０１０４】
前下検知部８５の発光部及び受光部は、入出金部４０における前下端近傍に、フレーム６０の左右に分かれて、それぞれ配置されている。すなわち前下検知部８５の検知光Ｌ５は、収納空間６０Ｓの前下端近傍に設けられたフロントガイド６０Ｇ（図３（Ａ））の僅かに上側、すなわち前開閉部６１が閉塞状態となる際に、下シャッタ体６３の下遮蔽部６３Ａにおける中央以外の下端部分が到達する位置において、左右方向に横切るように進行する。
【０１０５】
また前下中央検知部８６の発光部及び受光部は、入出金部４０における前下端近傍であって、フロントガイド６０Ｇにおける窪み部６０ＧＤ（図３（Ａ））の左右に分かれて、それぞれ配置されている。すなわち前下中央検知部８６の検知光Ｌ６は、収納空間６０Ｓの前下端近傍に設けられたフロントガイド６０Ｇの窪み部６０ＧＤ（図３（Ａ））を横切るように、検知光Ｌ５よりも低い箇所を左右方向に進行する。
【０１０６】
この前下検知部８５及び前下中央検知部８６は、検知光Ｌ５及びＬ６が遮光されるか否かを基に、収納空間６０Ｓの前端下方において前開閉部６１とフロントガイド６０Ｇとの間に１束以上の紙幣小束Ｔやオペレータの指等が位置しているか否かを検知することができる。
【０１０７】
このため制御部３０は、前下検知部８５及び前下中央検知部８６の検知結果を基に、例えば前開閉部６１を開放状態から閉塞状態へ遷移させる際に、下シャッタ体６３の下遮蔽部６３Ａとフロントガイド６０Ｇとの間に紙幣小束Ｔやオペレータの指等を挟んでしまう危険性があることを認識できる。
【０１０８】
特に入出金部４０では、前下検知部８５に加えて前下中央検知部８６を設けた。このため入出金部４０では、例えばオペレータの指がフロントガイド６０Ｇの窪み部６０ＧＤ（図３（Ａ））内に位置し、このときこの指が検知光Ｌ５の光路の下方をくぐるために前下検知部８５のみではその存在を検知できなかったとしても、この前下中央検知部８６により適切に検知することができる。
【０１０９】
［４．動作及び効果］
以上の構成において、施封小束支払機３の入出金部４０は、フレーム６０における前孔部６０ＨＦの前側に前開閉部６１を設け、収納空間６０Ｓから当該前孔部６０ＨＦを介して紙幣小束Ｔを取り出す場合及び当該前孔部６０ＨＦを介して収納空間６０Ｓに紙幣小束Ｔを投入する場合にのみ開放状態に遷移させ、その他の場合に閉塞状態に遷移させるようにした。
【０１１０】
このため入出金部４０は、施封部３８（図２）から排出されてくる紙幣小束Ｔや上下方向に移動するステージ４５等にオペレータの指が触れることによる、動作不良や負傷の発生を未然に防止することができる。
【０１１１】
また入出金部４０は、フレーム６０における後孔部６０ＨＲの後側に後開閉部７０を設け、前開閉部６１を開放する際に当該後孔部６０ＨＲを後シャッタ体７１により遮蔽する閉塞状態に遷移させ、その他の場合に当該後孔部６０ＨＲを開放する開放状態に遷移させるようにした。
【０１１２】
このため入出金部４０は、オペレータが収納空間６０Ｓの前方から紙幣小束Ｔを投入する際に、誤ってその後端を後孔部６０ＨＲから搬送部３８Ｔ（図６）内に挿入してしまうことを回避できる。これにより入出金部４０では、後にステージ４５を下降させた際に、この紙幣小束Ｔを搬送部３８Ｔに挟まれたまま搬送できずに取り込めなくなる、といった不具合の発生を未然に防止できる。
【０１１３】
さらに入出金部４０は、連動部７８において、スプリング７６の作用により後開閉部７０におけるリンク体７２の連動腕部７２Ｃを前開閉部６１における下シャッタ体６３の後腕部６３Ｄに近接させるよう付勢し、当該後開閉部７０を当該前開閉部６１と連動させるようにした。
【０１１４】
ここで、入出金部４０における前開閉部６１及び後開閉部７０の具体的な開閉動作について、前開閉部６１を閉塞状態（図３（Ｂ））から開放状態（図３（Ａ））へ遷移させる場合を例として説明する。
【０１１５】
入出金部４０は、前開閉部６１を閉塞状態とするとき、図８（Ａ）及び図９（Ａ）と対応する図１１（Ａ）に示すように、駆動機構部６４により上シャッタ体６２の上遮蔽部６２Ａ及び下シャッタ体６３の下遮蔽部６３Ａを、前孔部６０ＨＦを塞ぐようにそれぞれ位置させる。
【０１１６】
このとき下シャッタ体６３は、後腕部６３Ｄを比較的上方に位置させており、後開閉部７０におけるリンク体７２の連動腕部７２Ｃに対して上方向へ持ち上げるような力を、すなわちスプリング７６の付勢力に反するような力を作用させる。このため後開閉部７０は、リンク体７２の左腕部７２Ｂを上方へ持ち上げると共に右腕部７２Ａを下方へ押し下げる方向に付勢され、後シャッタ体７１にその力が伝達されて、先端部７１Ｅを後孔部６０ＨＲの上辺６０ＨＲＴよりも上方に位置させた開放状態とする。
【０１１７】
すなわち入出金部４０は、前開閉部６１を閉塞状態とした場合、連動部７８を介して下シャッタ体６３の後腕部６３Ｄからリンク体７２の連動腕部７２Ｃへ力を伝達することにより、当該前開閉部６１と連動して後開閉部７０を開放状態とすることができる。このとき連動部７８は、スプリング７６の作用により、連動腕部７２Ｃを後腕部６３Ｄに当接させており、前開閉部６１と後開閉部７０とを連動させている。これを他の観点から見ると、連動部７８では、スプリング７６による連動腕部７２Ｃを押し下げる力に反して、後腕部６３Ｄにより当該連動腕部７２Ｃを持ち上げている。
【０１１８】
ここで入出金部４０は、後開閉部７０を開放状態としているため、施封部３８において施封された紙幣小束Ｔが搬送部３８Ｔ（図６）により搬送されてきた場合、当該紙幣小束Ｔを遮ること無く、後孔部６０ＨＲを介して収納空間６０Ｓ内へ排出させることができる。またこのとき入出金部４０は、前開閉部６１を閉塞状態としているため、排出されてきた紙幣小束Ｔを誤って前孔部６０ＨＦから前方へ飛び出させること無く、収納空間６０Ｓ内に止めることができる。
【０１１９】
その後、入出金部４０の駆動機構部６４は、制御部３０から前開閉部６１を開放させる指示を受けると、下シャッタ体６３の下遮蔽部６３Ａを所定の回動速度で上方へ回動させると共に、上シャッタ体６２の上遮蔽部６２Ａをその約半分の速度で上方へ回動させる。このとき下シャッタ体６３は、回動軸６５を中心に回動するため、下遮蔽部６３Ａを上昇させるに連れて、後腕部６３Ｄを下降させていく。
【０１２０】
連動部７８は、スプリング７６の付勢力が作用するため、後腕部６３Ｄの下降に伴い、連動腕部７２Ｃを当該後腕部６３Ｄに当接させたまま下降させていく。これによりリンク体７２は、後方向から見て時計回りに、すなわち左腕部７２Ｂを下方へ押し下げると共に右腕部７２Ａを上方へ持ち上げるように回動する。これに伴い後シャッタ体７１は、後方向から見て反時計回りに回動し、先端部７１Ｅを徐々に下降させていく。
【０１２１】
すなわち連動部７８は、後開閉部７０において後シャッタ体７１やリンク体７２等の回動動作が遮られなければ、スプリング７６の作用により、連動腕部７２Ｃを後腕部６３Ｄに当接させ続けることができ、前開閉部６１と後開閉部７０とを連動させ続けることができる。
【０１２２】
やがて入出金部４０は、図８（Ｂ）及び図９（Ｂ）と対応する図１１（Ｂ）に示すように、上シャッタ体６２の上遮蔽部６２Ａ及び下シャッタ体６３の下遮蔽部６３Ａをフレーム６０の上方に位置させ、前開閉部６１を開放状態とする。また入出金部４０は、後シャッタ体７１の先端部７１Ｅを後孔部６０ＨＲの下辺６０ＨＲＢよりも下方に到達させ、後開閉部７０を閉塞状態とする。
【０１２３】
因みに入出金部４０では、連動部７８における後腕部６３Ｄ及び連動腕部７２Ｃの位置関係や回動範囲等がそれぞれ適切に調整されているため、前開閉部６１により前孔部６０ＨＦの概ね半分程度が開放される時点、すなわち下遮蔽部６３Ａの下端がフレーム６０における上下方向のほぼ中央に到達する時点までに、後開閉部７０における閉塞状態への遷移を完了する。
【０１２４】
このため入出金部４０では、例えば作業員等が投入作業を早く完了したい場合などに、前開閉部６１が完全に開放される前に紙幣小束Ｔが入出金部４０の収納空間６０Ｓに投入されたとしても、後開閉部７０を既に閉塞状態に遷移し終えているため、当該紙幣小束Ｔが施封部３８の搬送部３８Ｔに誤って挿入されてしまうことを防止できる。
【０１２５】
ところで施封小束支払機３では、例えば施封部３８において複数の紙幣小束Ｔを施封し、これをオペレータにより入出金部４０から取り出させる場合がある。このとき施封小束支払機３では、具体的に入出金部４０の前開閉部６１を閉塞状態とすると共に後開閉部７０を開放状態として（図１１（Ａ））、施封部３８において施封された紙幣小束Ｔを搬送部３８Ｔにより入出金部４０へ次々と搬送し、収納空間６０Ｓ内でステージ４５上に次々と集積していく。その後入出金部４０は、前開閉部６１を開放状態に遷移し、これと同時に後開閉部７０を閉塞状態に遷移して、ステージ４５上の紙幣小束Ｔを取り出させることになる（図１１（Ｂ））。
【０１２６】
ここで入出金部４０では、収納空間６０Ｓ内でステージ４５上における紙幣小束Ｔの集積状態が乱れる可能性があり、このとき当該紙幣小束Ｔの一部分が比較的後方に突出し、後シャッタ体７１の回動範囲内に位置してしまう場合がある。
【０１２７】
このような場合、入出金部４０では、図１１（Ｃ）に示すように、後シャッタ体７１の先端部７１Ｅが紙幣小束Ｔの上面に当接してしまい、後孔部６０ＨＲの下辺６０ＨＲＢまで到達することができない。すなわち後開閉部７０は、閉塞状態に遷移することができない。
【０１２８】
仮に、連動部７８において連動腕部７２Ｃと後腕部６３Ｄとが常に当接するような構成であった場合、すなわち前開閉部６１と後開閉部７０とを常に連動させるような構成であった場合、後開閉部７０を閉塞状態に遷移できないときには前開閉部６１を開放状態に遷移できないことになる。このような場合、オペレータは、入出金部４０の収納空間６０Ｓ内から紙幣小束Ｔを取り出す作業が困難となり、若しくは取り出すことができなくなってしまう。
【０１２９】
この点を踏まえて、実際の入出金部４０では、連動部７８においてスプリング７６によって連動腕部７２Ｃを後腕部６３Ｄに付勢する構成した。すなわち連動部７８は、リンク体７２に対しスプリング７６の付勢力に反する他の力が作用していない場合、連動腕部７２Ｃを下方に付勢付勢して後腕部６３Ｄに当接させ、後開閉部７０を前開閉部６１と連動させる（図１１（Ａ）及び（Ｂ））。
【０１３０】
その一方で連動部７８は、リンク体７２に対しスプリング７６の付勢力に反する他の力が作用する場合、例えば後シャッタ体７１に対し閉塞する方向の回動を規制するような力が作用する場合に、連動腕部７２Ｃを後腕部６３Ｄから引き離し、後開閉部７０と前開閉部６１との連動を解除させる（図１１（Ｃ））。
【０１３１】
このように連動部７８は、連動腕部７２Ｃ及び後腕部６３Ｄを状況に応じて当接又は分離するように構成した。このため入出金部４０は、後シャッタ体７１が収納空間６０Ｓ内の紙幣小束Ｔに当接するために後開閉部７０を閉塞状態に遷移できない場合であっても、その影響を受けること無く、前開閉部６１を開放状態に遷移させることができる。これにより入出金部４０は、完全に開放状態となっている前側から、オペレータに紙幣小束Ｔを容易に取り出させることができる。
【０１３２】
因みにこの場合、オペレータにより収納空間６０Ｓ内の紙幣小束Ｔが取り出されると、後シャッタ体７１は、スプリング７６の付勢力がリンク体７２を介して常に付勢されているため、先端部７１Ｅを下降させる方向へ回動する。この結果、後開閉部７０は、やがて閉塞状態（図１１（Ｂ））に遷移する。このとき連動部７８は、連動腕部７２Ｃを後腕部６３Ｄに再び当接させ、後開閉部７０を前開閉部６１と再び連動させることができる。
【０１３３】
また入出金部４０は、前開閉部６１を開放状態に遷移させた一方で後シャッタ体７１が紙幣小束Ｔに当接するために後開閉部７０を閉塞状態に遷移できずにいる状態（図１１（Ｃ））において、制御部３０から前開閉部６１を再び閉塞する旨の指示を受ける可能性もある。
【０１３４】
このとき入出金部４０は、駆動機構部６４により上シャッタ体６２及び下シャッタ体６３を回動させて前開閉部６１を閉塞状態に遷移させることができ、その際に連動部７８において後腕部６３Ｄを連動腕部７２Ｃに当接させて再び持ち上げる。これにより入出金部４０は、後開閉部７０を前開閉部６１と再び連動させることができ、後開閉部７０を再び正常な開放状態に遷移させることができる。
【０１３５】
以上の構成によれば、施封小束支払機３の入出金部４０は、前開閉部６１における下シャッタ体６３の後腕部６３Ｄと後開閉部７０におけるリンク体７２の連動腕部７２Ｃとスプリング７６とにより連動部７８を構成し、当該連動部７８において連動腕部７２Ｃを後腕部６３Ｄに当接させ、又は離隔させることにより、前開閉部６１の開閉動作と後開閉部７０の開閉動作とを連動させ、又は一時的に切り離すようにした。これにより入出金部４０は、前開閉部６１の駆動機構部６４が発生する駆動力を利用して当該前開閉部６１を開閉させると共に後開閉部７０を開閉でき、その一方で後開閉部７０を正常に閉塞できなかった場合に互いの連動を解除して前開閉部６１を正常に開閉させることができる。
【０１３６】
［５．他の実施の形態］
なお上述した実施の形態においては、入出金部４０の連動部７８において、下シャッタ体６３の後腕部６３Ｄとリンク体７２の連動腕部７２Ｃとを分離可能に構成し、前開閉部６１の開閉動作と後開閉部７０の開閉動作との連動を一時的に解除できるようにした場合について述べた。
【０１３７】
しかしながら本発明はこれに限らず、例えば収納空間６０Ｓ内に収納された紙幣小束Ｔを後シャッタ体７１の回動範囲から退避させるような機構を別途組み込む場合等に、前開閉部６１の開閉動作と後開閉部７０の開閉動作とを常に連動させるようにしても良い。
【０１３８】
また上述した実施の形態においては、リンク体７２の連動腕部７２Ｃを下シャッタ体６３の後腕部６３Ｄの上側に位置させ、スプリング７６によって当該リンク体７２に対し連動腕部７２Ｃを下方へ押し下げる方向へ付勢することにより、当該スプリング７６の付勢力を後シャッタ体７１に対し開放状態から閉塞状態に近づける方向に作用させる場合について述べた。
【０１３９】
しかしながら本発明はこれに限らず、例えばリンク体７２の連動腕部７２Ｃを下シャッタ体６３における後腕部６３Ｄの下側に位置させ、スプリング７６によって当該リンク体７２に対し連動腕部７２Ｃを上方へ持ち上げる方向へ付勢することにより、当該スプリング７６の付勢力を後シャッタ体７１に対し閉塞状態から開放状態に近づける方向に作用させるようにしても良い。
【０１４０】
さらに上述した実施の形態においては、制御部３０の制御に基づいて駆動力を発生する駆動機構部６４を前開閉部６１側に設け、連動部７８において、トーションばねでなるスプリング７６の作用により連動腕部７２Ｃを後腕部６３Ｄに近接させるよう付勢し、後開閉部７０を前開閉部６１と極力連動させ、状況に応じてその連動を一時的に解除させるようにした場合について述べた。
【０１４１】
しかしながら本発明はこれに限らず、例えばスプリング７６に代えてコイルばね等の他の弾性体を用いても良く、またスプリング７６に代えて連動腕部７２Ｃ及び後腕部６３Ｄに互いの極性が異なる磁石を取り付け、その吸引力を利用して、後開閉部７０を前開閉部６１と極力連動させ、状況に応じてその連動を一時的に解除させるようにしても良い。或いは、例えば後開閉部７０において後シャッタ体７１に作用する重力によってリンク体７２の連動腕部７２Ｃを下シャッタ体６３の後腕部６３Ｄに近づけることができる場合に、連動部７８からスプリング７６を省略しても良い。要は、連動部７８において、何らかの付勢体によって連動腕部７２Ｃを後腕部６３Ｄに近接させるよう付勢することにより、後開閉部７０を前開閉部６１と極力連動させ、状況に応じてその連動を一時的に解除させることができれば良い。
【０１４２】
さらに上述した実施の形態においては、前開閉部６１に駆動機構部６４を設け、前開閉部６１の開閉動作と連動して後開閉部７０を開閉させる場合について述べた。
【０１４３】
しかしながら本発明はこれに限らず、例えば後開閉部７０に後シャッタ体７１を回動させるための駆動機構部を設け、当該後開閉部７０における開閉動作と連動して前開閉部６１を開閉させるようにしても良い。この場合、例えば前開閉部６１の下シャッタ体６３とフロントガイド６０Ｇとの間に紙幣小束Ｔが挟まれる等して閉塞できない場合であっても、連動部７８において後開閉部７０を当該前開閉部６１から切り離して確実に開放することができる。
【０１４４】
さらに上述した実施の形態においては、連動部７８により、前開閉部６１を閉塞状態から開放状態へ遷移させる際に、前孔部６０ＨＦの概ね半分程度が開放された時点、すなわち下遮蔽部６３Ａの下端がフレーム６０における上下方向のほぼ中央に到達した時点までに、後開閉部７０における閉塞状態への遷移を完了する場合について述べた。
【０１４５】
しかしながら本発明はこれに限らず、例えば前孔部６０ＨＦのほぼ全てが開放された時点で後開閉部７０における閉塞状態への遷移を完了させる等、連動部７８により、前開閉部６１を開放状態へ遷移させる際の何れのタイミングにおいて後開閉部７０における閉塞状態への遷移を完了させるようにしても良い。
【０１４６】
さらに上述した実施の形態においては、連動部７８において、回動軸６５を中心に回動する下シャッタ体６３の後腕部６３Ｄと、回動軸７５を中心に回動するリンク体７２の連動腕部７２Ｃとを互いに当接させて、主に上下方向に力を作用させることにより、前開閉部６１及び後開閉部７０の開閉動作を連動させ、又はその連動を一時的に解除する場合について述べた。
【０１４７】
しかしながら本発明はこれに限らず、例えば周知の各種リンク機構や各種ギア、ベルト、或いはそれらの組み合わせ等、種々の機構を利用して連動部７８を構成し、種々の方向に力を作用させることにより、前開閉部６１及び後開閉部７０の開閉動作を連動させ、又はその連動を一時的に解除するようにしても良い。
【０１４８】
さらに上述した実施の形態においては、後開閉部７０において前後方向に沿った回動軸７３を中心に後シャッタ体７１を回動させることにより、当該後開閉部７０を開放状態又は閉塞状態に遷移させる場合について述べた。
【０１４９】
しかしながら本発明はこれに限らず、例えば左右方向に沿った回動軸を中心に後シャッタ体７１を回動させるようにし、或いは当該後シャッタ体７１を上下方向へ移動させるようにして、当該後開閉部７０を開放状態又は閉塞状態に遷移させるようにしても良い。また、前後方向に薄い板状の後シャッタ体７１に代えて、例えば上下方向に細長い棒状など、種々の形状でなる後シャッタ体を設けても良い。この場合、要は開放状態においてフレーム６０の後孔部６０ＨＲを大きく開放する一方、閉塞状態において紙幣小束Ｔが収納空間６０Ｓ側から後孔部６０ＨＲを介して搬送部３８Ｔ側へ入り込むことを防止できれば良い。
【０１５０】
また、開放状態において後シャッタ体７１を退避させる位置としては、後孔部６０ＨＲの上側に限らず、当該後孔部６０ＨＲの下側や左側若しくは右側、或いは後孔部６０ＨＲにおける上辺６０ＨＲＴ若しくは下辺６０ＨＲＢの後方等、種々の箇所としても良い。この場合、要は施封部３８の搬送部３８Ｔによる紙幣小束Ｔの搬送を妨げず、且つ収納空間６０Ｓ内への紙幣小束Ｔの排出、投入又は収納空間６０Ｓ内からの紙幣小束Ｔの取出等を妨げない位置であれば良い。
【０１５１】
さらに上述した実施の形態においては、後開閉部７０において１の部材でなる後シャッタ体７１により後孔部６０ＨＲを閉塞する場合について述べた。しかしながら本発明はこれに限らず、２以上の部品の組み合わせにより後シャッタ体を構成しても良い。この場合、例えば前開閉部６１における上遮蔽部６２Ａ及び６３Ａのように、閉塞時に複数の部品を上下方向又は左右方向に配置して１の後シャッタ体とする一方、解放時にはその配置を崩して１箇所に重ねるように配置し、若しくは複数箇所に分散するように配置しても良い。また、後孔部６０ＨＲを閉塞する箇所についても、左右の中央を１箇所のみとする場合に限らず、中央以外の箇所や２以上の箇所を閉塞するようにしても良い。
【０１５２】
さらに上述した実施の形態においては、前開閉部６１において回動軸６５を中心に上シャッタ体６２及び下シャッタ体６３を回動させることにより、フレーム６０の前孔部６０ＨＦを閉塞又は開放するようにした場合について述べた。しかしながら本発明はこれに限らず、例えば上遮蔽部６２Ａ及び６３Ａを上下方向へ移動させることにより、フレーム６０の前孔部６０ＨＦを閉塞又は開放するようにしても良い。この場合、上遮蔽部６２Ａ及び６３Ａをそれぞれ平板状としても良い。
【０１５３】
さらに上述した実施の形態においては、前開閉部６１において上下に２分割した上シャッタ体６２及び下シャッタ体６３の組み合わせにより、フレーム６０の前孔部６０ＨＦを閉塞する場合について述べた。しかしながら本発明はこれに限らず、前開閉部６１において例えば１枚のシャッタ体や３枚以上のシャッタ体の組み合わせにより、フレーム６０の前孔部６０ＨＦを閉塞するようにしても良い。また分割する方向としては上下方向に限らず、左右方向や斜め方向、或いはその組み合わせであっても良い。
【０１５４】
さらに上述した実施の形態においては、入出金部４０のフレーム６０における下面部分に下孔部６０ＨＢを穿設し、底部位置にあるステージ４５を収納空間６０Ｓの底面として機能させ、また当該ステージ４５を上下方向へ移動させることにより、収納空間６０Ｓに紙幣小束Ｔを搬入し、或いは収納空間６０Ｓから紙幣小束Ｔを搬出する場合について述べた。しかしながら本発明はこれに限らず、例えば施封小束支払機３（図２）において入出金部４０を通路５８の前端に位置させると共にフレーム６０の下面部分を閉塞し、当該通路５８内を前後方向へ移動する小束クランプ移動機構５０により、収納空間６０Ｓに紙幣小束Ｔを搬入し、或いは収納空間６０Ｓから紙幣小束Ｔを搬出するようにしても良い。
【０１５５】
さらに上述した実施の形態においては、フレーム６０の前下端にフロントガイド６０Ｇを設けた場合について述べた。しかしながら本発明はこれに限らず、例えばフレーム６０からフロントガイド６０Ｇを省略し、下部ユニット２６（図２）の前面パネルにおける上端部分にフロントガイドを形成しても良い。
【０１５６】
さらに上述した実施の形態においては、所定枚数の紙幣を束ねて施封し紙幣小束Ｔとする施封小束支払機３において、媒体としての紙幣小束Ｔを外部へ取り出させ、又は当該紙幣小束Ｔを外部から投入させるための入出金部４０に本発明を適用する場合について述べた。しかしながら本発明はこれに限らず、例えば各種金券や証券等のような種々の紙葉類を束ねた種々の媒体、或いは直方体状の１個の媒体を外部へ取り出させ、外部から投入させるための媒体入出部に本発明を適用しても良い。
【０１５７】
さらに上述した実施の形態においては、上部ユニット２４の前面パネル２５に凹部２５Ｔを形成し、当該凹部２５Ｔにフリッカ２５Ｆを設けた場合について述べた。しかしながら本発明はこれに限らず、例えばフロントガイド６０Ｇや前面パネル２５における他の箇所、或いは下部ユニット２６の前面パネル等、施封小束支払機３における前面における種々の箇所にフリッカ２５Ｆを設けても良い。要は、出納システム１（図１）の前方にいるオペレータに対し容易に視認させ得る箇所であれば良い。またフリッカ２５Ｆの形状についても、左右方向に細長い矩形状に限らず、円形等、種々の形状であっても良く、複数個を近接若しくは離隔させるように配置しても良い。さらには、フリッカ２５Ｆにおける発光色や発光パターンについても、種々のものを採用することができる。或いは、フリッカ２５Ｆを省略しても良い。
【０１５８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５９】
さらに上述した実施の形態においては、収納空間としての収納空間６０Ｓと、排出口としての後孔部６０ＨＲと、挿入口としての前孔部６０ＨＦと、排出口シャッタとしての後シャッタ体７１と、挿入口シャッタとしての上シャッタ体６２及び下シャッタ体６３と、連動部としての連動部７８とによって媒体入出装置としての入出金部４０を構成する場合について述べた。
【０１６０】
しかしながら本発明はこれに限らず、その他種々の構成でなる収納空間と、排出口と、挿入口と、排出口シャッタと、挿入口シャッタと、連動部とによって媒体入出装置を構成するようにしても良い。
【０１６１】
さらに上述した実施の形態においては、結束部としての施封部３８と、収納空間としての収納空間６０Ｓと、排出口としての後孔部６０ＨＲと、挿入口としての前孔部６０ＨＦと、格納部としての小束金庫５６と、搬送部としての昇降部４２と、排出口シャッタとしての後シャッタ体７１と、挿入口シャッタとしての上シャッタ体６２及び下シャッタ体６３と、連動部としての連動部７８とによって媒体結束装置としての施封小束支払機３を構成する場合について述べた。
【０１６２】
しかしながら本発明はこれに限らず、その他種々の構成でなる結束部と、収納空間と、排出口と、挿入口と、格納部と、搬送部と、排出口シャッタと、挿入口シャッタと、連動部とによって媒体結束装置を構成するようにしても良い。
【産業上の利用可能性】
【０１６３】
本発明は、媒体を入出させるための入出口を複数有する入出部でも利用できる。
【符号の説明】
【０１６４】
１……出納システム、３……施封小束支払機、２４……上部ユニット、２５……前面パネル、２５Ｆ……フリッカ、２６……下部ユニット、３０……制御部、３８……施封部、３８Ｔ……搬送部、４０……入出金部、４２……昇降部、４５……ステージ、６０……フレーム、６０ＨＦ……前孔部、６０ＨＲ……後孔部、６０Ｓ……収納空間、６１……前開閉部、６２……上シャッタ体、６２Ａ……上遮蔽部、６３……下シャッタ体、６３Ａ……下遮蔽部、６３Ｄ……後腕部、６４……駆動機構部、６５……回動軸、７０……後開閉部、７１……後シャッタ体、７１Ｅ……先端部、７２……リンク体、７２Ｃ……連動腕部、７３……回動軸、７４……リンク軸、７５……回動軸、７６……スプリング、７８……連動部、Ｔ……紙幣小束。
【図１】
2015125626.tif 000003
【図２】
2015125626.tif 000004
【図３】
2015125626.tif 000005
【図４】
2015125626.tif 000006
【図５】
2015125626.tif 000007
【図６】
2015125626.tif 000008
【図７】
2015125626.tif 000009
【図８】
2015125626.tif 000010
【図９】
2015125626.tif 000011
【図１０】
2015125626.tif 000012
【図１１】
2015125626.tif 000013